(57)【要約】【課題】シミー現象に起因するステアリングホイールの振動を抑制することができると共にその抑制のための制御値に異常が生じた場合でも操舵フィーリングへ悪影響を及ぼすことを抑制することができる技術を提供する。【解決手段】ステアリングシャフトから、転動輪を転動させるラック軸に対して回転することにより駆動力を加えるピニオンシャフト間に作用するトルクを検出するトルクセンサ１０９と、ラック軸に駆動力を加える電動モータと、転動輪側からステアリングホイール側へ伝わる外乱トルクを抑制するように電動モータを駆動させるシミー補償電流設定部２７とを備え、シミー補償電流設定部２７は、トルクセンサ１０９にて検出された検出トルクに基づいて電動モータを駆動させる制御値を算出すると共に、制御値に異常がない場合には制御値を用いて電動モータを駆動させ、制御値に異常がある場合には外乱トルクを抑制するために電動モータを駆動させない。【選択図】図６
2016068677.tif 000002
【特許請求の範囲】
【請求項１】
車両のステアリングホイールと連動して回転するステアリングシャフトと、
転動輪を転動させるラック軸に対して回転することにより駆動力を加えるピニオンシャフトと、
前記ステアリングシャフトから前記ピニオンシャフト間に作用するトルクを検出する検出手段と、
前記ラック軸に駆動力を加える電動モータと、
前記転動輪側から前記ステアリングホイール側へ伝わる外乱トルクを抑制するように前記電動モータを駆動させる外乱抑制駆動手段と、
を備え、
前記外乱抑制駆動手段は、前記検出手段にて検出された検出トルクに基づいて前記電動モータを駆動させる制御値を算出すると共に、当該制御値に異常がない場合には当該制御値を用いて当該電動モータを駆動させ、当該制御値に異常がある場合には前記外乱トルクを抑制するために当該電動モータを駆動させない
ことを特徴とする電動パワーステアリング装置。
【請求項２】
前記外乱抑制駆動手段は、前記検出手段にて検出された検出トルクに基づいて前記外乱トルクを抑制するために前記電動モータを駆動させる抑制電流を算出し、算出した抑制電流を制御値として出力する抑制電流算出部を有する
ことを特徴とする請求項１に記載の電動パワーステアリング装置。
【請求項３】
前記外乱抑制駆動手段は、前記抑制電流算出部から出力された前記制御値の合計値が所定範囲外である場合に当該制御値が異常であると判断する
ことを特徴とする請求項２に記載の電動パワーステアリング装置。
【請求項４】
前記外乱抑制駆動手段は、前記抑制電流算出部から出力された前記制御値を複数記憶する環状バッファを有し、当該環状バッファに記憶された全ての当該制御値の合計値が所定範囲外である場合に当該制御値が異常であると判断する
ことを特徴とする請求項３に記載の電動パワーステアリング装置。
【請求項５】
前記抑制電流算出部は、前記検出手段にて検出された所定範囲の周波数成分の前記検出トルクと逆位相となる変化量に基づいて前記抑制電流を算出する
ことを特徴とする請求項２から４のいずれか１項に記載の電動パワーステアリング装置。
【請求項６】
前記外乱抑制駆動手段は、前記検出手段にて検出された検出トルクに基づいて前記外乱トルクを抑制するために前記電動モータへ供給する抑制電流を設定し、
前記検出手段にて検出された検出トルクに基づいて前記電動モータへ供給する目標電流のベースとなるベース電流を算出するベース電流算出手段と、
前記ベース電流算出手段が算出した前記ベース電流と前記外乱抑制駆動手段が設定した前記抑制電流とに基づいて前記目標電流を決定する目標電流決定手段と、
をさらに備えることを特徴とする請求項１から５のいずれか１項に記載の電動パワーステアリング装置。
【請求項７】
前記外乱抑制駆動手段は、前記制御値に異常がない場合には前記抑制電流算出部が算出した抑制電流を前記電動モータに供給する抑制電流に設定し、当該制御値に異常がある場合には当該電動モータに供給する抑制電流を零に設定する
ことを特徴とする請求項６に記載の電動パワーステアリング装置。
【発明の詳細な説明】
【技術分野】
【０００１】
本発明は、電動パワーステアリング装置に関する。
【背景技術】
【０００２】
近年、車両のステアリング系に電動モータを備え、電動モータの動力にてドライバの操舵力をアシストする電動パワーステアリング装置が提案されている。
例えば、特許文献１に記載の電動パワーステアリング装置は、制御装置にて制御される。制御装置は、電動モータの駆動を制御するために、先ず、操舵トルクや車速などに応じて電動モータに供給する目標電流を設定する。そして、設定した目標電流と実際に電動モータに流れる実電流とを一致させるべく、目標電流と実電流との偏差がゼロになるように、フィードバック制御を行う。
【先行技術文献】
【特許文献】
【０００３】
【特許文献１】特開２００１−３１５６５７号公報
【発明の概要】
【発明が解決しようとする課題】
【０００４】
路面の凹凸や車輪のアンバランスなどに起因してシミー現象が発生するおそれがある。シミー現象が発生すると、ステアリングホイールの回転方向の振動として運転者に伝わるため、シミー現象に起因するステアリングホイールの振動を抑制することが望ましい。そのためには、シミー現象に起因する振動を抑制するためのアシスト力を電動モータにて付与することが考えられる。
しかしながら、シミー現象に起因する振動を抑制するためのアシスト力を電動モータに付与させるための制御値に異常が生じた場合には、所望のアシスト力とは異なるアシスト力が付与されてしまい、操舵フィーリングが悪化してしまうおそれがある。
【０００５】
本発明は、シミー現象に起因するステアリングホイールの振動を抑制することができると共にその抑制のための制御値に異常が生じた場合でも操舵フィーリングへ悪影響を及ぼすことを抑制することができる電動パワーステアリング装置を提供することを目的とする。
【課題を解決するための手段】
【０００６】
かかる目的のもと、本発明は、車両のステアリングホイールと連動して回転するステアリングシャフトと、転動輪を転動させるラック軸に対して回転することにより駆動力を加えるピニオンシャフトと、前記ステアリングシャフトから前記ピニオンシャフト間に作用するトルクを検出する検出手段と、前記ラック軸に駆動力を加える電動モータと、前記転動輪側から前記ステアリングホイール側へ伝わる外乱トルクを抑制するように前記電動モータを駆動させる外乱抑制駆動手段と、を備え、前記外乱抑制駆動手段は、前記検出手段にて検出された検出トルクに基づいて前記電動モータを駆動させる制御値を算出すると共に、当該制御値に異常がない場合には当該制御値を用いて当該電動モータを駆動させ、当該制御値に異常がある場合には前記外乱トルクを抑制するために当該電動モータを駆動させないことを特徴とする電動パワーステアリング装置である。
【０００７】
ここで、前記外乱抑制駆動手段は、前記検出手段にて検出された検出トルクに基づいて前記外乱トルクを抑制するために前記電動モータを駆動させる抑制電流を算出し、算出した抑制電流を制御値として出力する抑制電流算出部を有するとよい。
また、前記外乱抑制駆動手段は、前記抑制電流算出部から出力された前記制御値の合計値が所定範囲外である場合に当該制御値が異常であると判断してもよい。
【０００８】
また、前記外乱抑制駆動手段は、前記抑制電流算出部から出力された前記制御値を複数記憶する環状バッファを有し、当該環状バッファに記憶された全ての当該制御値の合計値が所定範囲外である場合に当該制御値が異常であると判断してもよい。
また、前記抑制電流算出部は、前記検出手段にて検出された所定範囲の周波数成分の前記検出トルクと逆位相となる変化量に基づいて前記抑制電流を算出してもよい。
【０００９】
また、前記外乱抑制駆動手段は、前記検出手段にて検出された検出トルクに基づいて前記外乱トルクを抑制するために前記電動モータへ供給する抑制電流を設定し、前記検出手段にて検出された検出トルクに基づいて前記電動モータへ供給する目標電流のベースとなるベース電流を算出するベース電流算出手段と、前記ベース電流算出手段が算出した前記ベース電流と前記外乱抑制駆動手段が設定した前記抑制電流とに基づいて前記目標電流を決定する目標電流決定手段と、をさらに備えてもよい。
また、前記外乱抑制駆動手段は、前記制御値に異常がない場合には前記抑制電流算出部が算出した抑制電流を前記電動モータに供給する抑制電流に設定し、当該制御値に異常がある場合には当該電動モータに供給する抑制電流を零に設定してもよい。
【発明の効果】
【００１０】
本発明によれば、シミー現象に起因するステアリングホイールの振動を抑制することができると共にその抑制のための制御値に異常が生じた場合でも操舵フィーリングへ悪影響を及ぼすことを抑制することができる。
【図面の簡単な説明】
【００１１】
【図１】実施の形態に係る電動パワーステアリング装置の概略構成を示す図である。
【図２】制御装置の概略構成図である。
【図３】目標電流算出部の概略構成図である。
【図４】検出トルクおよび車速とベース電流との対応を示す制御マップの概略図である。
【図５】制御部の概略構成図である。
【図６】シミー補償電流設定部の概略構成図である。
【図７】バンドパスフィルタを示す概略図である。
【図８】車速とバンドパスフィルタの中心周波数との対応を示す制御マップの概略図である。
【図９】トルク変化量算出部が行う算出処理を示すフローチャートである。
【図１０】トルク変化量と算出シミー補償電流との対応を示す制御マップの概略図である。
【図１１】（ａ）は、シミー補償電流算出部にて算出された算出シミー補償電流に中点オフセットが生じている場合の出力態様を示す図である。（ｂ）は、シミー補償電流算出部にて算出された算出シミー補償電流に制御値の固着が生じている場合の出力態様を示す図である。
【発明を実施するための形態】
【００１２】
以下、添付図面を参照して、本発明の実施の形態について詳細に説明する。
図１は、実施の形態に係る電動パワーステアリング装置１００の概略構成を示す図である。
電動パワーステアリング装置１００（以下、単に「ステアリング装置１００」と称する場合もある。）は、車両の進行方向を任意に変えるためのかじ取り装置であり、本実施の形態においては車両の一例としての自動車１に適用した構成を例示している。
【００１３】
ステアリング装置１００は、自動車１の進行方向を変えるために運転者が操作する車輪（ホイール）状のステアリングホイール（ハンドル）１０１と、ステアリングホイール１０１に一体的に設けられたステアリングシャフト１０２とを備えている。また、ステアリング装置１００は、ステアリングシャフト１０２と自在継手１０３ａを介して連結された上部連結シャフト１０３と、この上部連結シャフト１０３と自在継手１０３ｂを介して連結された下部連結シャフト１０８とを備えている。下部連結シャフト１０８は、ステアリングホイール１０１の回転に連動して回転する。
【００１４】
また、ステアリング装置１００は、転動輪としての左右の前輪１５０のそれぞれに連結されたタイロッド１０４と、タイロッド１０４に連結されたラック軸１０５とを備えている。また、ステアリング装置１００は、ラック軸１０５に形成されたラック歯１０５ａとともにラック・ピニオン機構を構成するピニオン１０６ａを備えている。ピニオン１０６ａは、ピニオンシャフト１０６の下端部に形成されている。これらラック軸１０５、ピニオンシャフト１０６などが、ステアリングホイール１０１の回転操作力を前輪１５０の転動力として伝達する伝達機構として機能する。ピニオンシャフト１０６は、前輪１５０を転動させるラック軸１０５に対して、回転することにより前輪１５０を転動させる駆動力を加える。
【００１５】
また、ステアリング装置１００は、ピニオンシャフト１０６を収容するステアリングギヤボックス１０７を有している。ピニオンシャフト１０６は、ステアリングギヤボックス１０７内にてトーションバー１１２を介して下部連結シャフト１０８と連結されている。そして、ステアリングギヤボックス１０７の内部には、下部連結シャフト１０８とピニオンシャフト１０６との相対回転角度に基づいて、言い換えればトーションバー１１２の捩れ量に基づいて、ステアリングホイール１０１に加えられた操舵トルクおよび／または前輪１５０を介してピニオンシャフト１０６に伝わる外乱トルクを検出する検出手段の一例としてのトルクセンサ１０９が設けられている。言い換えれば、トルクセンサ１０９は、トーションバー１１２にはたらくトルクを検出する。また、トルクセンサ１０９は、ステアリングシャフト１０２とピニオンシャフト１０６との間に作用するトルクを検出する。
【００１６】
また、ステアリング装置１００は、ステアリングギヤボックス１０７に支持された電動モータ１１０と、電動モータ１１０の駆動力を減速してピニオンシャフト１０６に伝達する減速機構１１１とを有している。減速機構１１１は、例えば、ピニオンシャフト１０６に固定されたウォームホイール（不図示）と、電動モータ１１０の出力軸に固定されたウォームギヤ（不図示）などから構成される。電動モータ１１０は、ピニオンシャフト１０６に回転駆動力を加えることにより、ラック軸１０５に前輪１５０を転動させる駆動力を加える。本実施の形態に係る電動モータ１１０は、３相ブラシレスモータであることを例示することができる。
【００１７】
また、ステアリング装置１００は、電動モータ１１０の作動を制御する制御装置１０を備えている。制御装置１０には、上述したトルクセンサ１０９からの出力信号が入力される。また、制御装置１０には、自動車に搭載される各種の機器を制御するための信号を流す通信を行うネットワーク（ＣＡＮ）を介して、自動車の移動速度である車速Ｖｃを検出する車速センサ１７０などからの出力信号が入力される。
【００１８】
以上のように構成されたステアリング装置１００は、トルクセンサ１０９が検出した検出トルクに基づいて電動モータ１１０を駆動し、電動モータ１１０の発生トルクをピニオンシャフト１０６に伝達する。これにより、電動モータ１１０の発生トルクが、ステアリングホイール１０１に加える運転者の操舵力をアシストする。
【００１９】
次に、制御装置１０について説明する。
図２は、制御装置１０の概略構成図である。
制御装置１０は、ＣＰＵ、ＲＯＭ、ＲＡＭ、バックアップＲＡＭ等からなる算術論理演算回路である。
制御装置１０には、上述したトルクセンサ１０９にて検出された検出トルクＴが出力信号に変換されたトルク信号Ｔｄと、車速センサ１７０にて検出された車速Ｖｃが出力信号に変換された車速信号ｖなどが入力される。
【００２０】
そして、制御装置１０は、トルク信号Ｔｄおよび車速信号ｖなどに基づいて電動モータ１１０に供給する目標電流Ｉｔを算出（設定）する目標電流算出部２０と、目標電流算出部２０が算出した目標電流Ｉｔに基づいてフィードバック制御などを行う制御部３０とを有している。
【００２１】
次に、目標電流算出部２０について詳述する。
図３は、目標電流算出部２０の概略構成図である。
目標電流算出部２０は、目標電流Ｉｔを設定する上でベースとなるベース電流Ｉｂを算出するベース電流算出手段の一例としてのベース電流算出部２１と、電動モータ１１０の慣性モーメントを打ち消すためのイナーシャ補償電流Ｉｓを算出するイナーシャ補償電流算出部２２と、電動モータ１１０の回転を制限するダンパー補償電流Ｉｄを算出するダンパー補償電流算出部２３とを備えている。また、目標電流算出部２０は、ベース電流算出部２１、イナーシャ補償電流算出部２２、ダンパー補償電流算出部２３にて算出された値に基づいて仮の目標電流である仮目標電流Ｉｔｆを決定する仮目標電流決定部２５を備えている。また、目標電流算出部２０は、トルクセンサ１０９にて検出された検出トルクＴの位相を補償する位相補償部２６を備えている。
【００２２】
また、目標電流算出部２０は、シミー現象に起因するステアリングホイール１０１の回転方向の振動を抑制する電流である抑制電流の一例としてのシミー補償電流Ｉｒを設定する外乱抑制駆動手段の一例としてのシミー補償電流設定部２７を備えている。また、目標電流算出部２０は、仮目標電流決定部２５にて決定された仮目標電流Ｉｔｆおよびシミー補償電流設定部２７にて設定されたシミー補償電流Ｉｒに基づいて最終的に目標電流Ｉｔを決定する目標電流決定手段の一例としての最終目標電流決定部２８を備えている。
【００２３】
なお、目標電流算出部２０には、トルク信号Ｔｄ、車速信号ｖが入力される。また、目標電流算出部２０には、電動モータ１１０の回転速度Ｎｍが出力信号に変換された回転速度信号Ｎｍｓが入力される。電動モータ１１０の回転速度Ｎｍは、例えば３相ブラシレスモータである電動モータ１１０の回転子（ロータ）の回転位置を検出するレゾルバからの出力信号を基に算出されるものであることを例示することができる。
【００２４】
図４は、検出トルクＴおよび車速Ｖｃとベース電流Ｉｂとの対応を示す制御マップの概略図である。
ベース電流算出部２１は、位相補償部２６にてトルク信号Ｔｄが位相補償されたトルク信号Ｔｓと、車速センサ１７０からの車速信号ｖとに基づいてベース電流Ｉｂを算出する。つまり、ベース電流算出部２１は、位相補償された検出トルクＴと、車速Ｖｃとに応じたベース電流Ｉｂを算出する。なお、ベース電流算出部２１は、例えば、予め経験則に基づいて作成しＲＯＭに記憶しておいた、位相補償された検出トルクＴ（トルク信号Ｔｓ）および車速Ｖｃ（車速信号ｖ）とベース電流Ｉｂとの対応を示す図４に例示した制御マップに、検出トルクＴ（トルク信号Ｔｓ）および車速Ｖｃ（車速信号ｖ）を代入することによりベース電流Ｉｂを算出する。
【００２５】
イナーシャ補償電流算出部２２は、トルク信号Ｔｓと、車速信号ｖとに基づいて電動モータ１１０およびシステムの慣性モーメントを打ち消すためのイナーシャ補償電流Ｉｓを算出する。つまり、イナーシャ補償電流算出部２２は、検出トルクＴ（トルク信号Ｔｓ）と、車速Ｖｃ（車速信号ｖ）とに応じたイナーシャ補償電流Ｉｓを算出する。なお、イナーシャ補償電流算出部２２は、例えば、予め経験則に基づいて作成しＲＯＭに記憶しておいた、検出トルクＴ（トルク信号Ｔｓ）および車速Ｖｃ（車速信号ｖ）とイナーシャ補償電流Ｉｓとの対応を示す制御マップに、検出トルクＴ（トルク信号Ｔｓ）および車速Ｖｃ（車速信号ｖ）を代入することによりイナーシャ補償電流Ｉｓを算出する。
【００２６】
ダンパー補償電流算出部２３は、トルク信号Ｔｓと、車速信号ｖと、電動モータ１１０の回転速度信号Ｎｍｓとに基づいて、電動モータ１１０の回転を制限するダンパー補償電流Ｉｄを算出する。つまり、ダンパー補償電流算出部２３は、検出トルクＴ（トルク信号Ｔｓ）と、車速Ｖｃ（車速信号ｖ）と、電動モータ１１０の回転速度Ｎｍ（回転速度信号Ｎｍｓ）に応じたダンパー補償電流Ｉｄを算出する。なお、ダンパー補償電流算出部２３は、例えば、予め経験則に基づいて作成しＲＯＭに記憶しておいた、検出トルクＴ（トルク信号Ｔｓ）、車速Ｖｃ（車速信号ｖ）および回転速度Ｎｍ（回転速度信号Ｎｍｓ）と、ダンパー補償電流Ｉｄとの対応を示す制御マップに、検出トルクＴ（トルク信号Ｔｓ）、車速Ｖｃ（車速信号ｖ）および回転速度Ｎｍ（回転速度信号Ｎｍｓ）を代入することによりダンパー補償電流Ｉｄを算出する。
【００２７】
仮目標電流決定部２５は、ベース電流算出部２１にて算出されたベース電流Ｉｂ、イナーシャ補償電流算出部２２にて算出されたイナーシャ補償電流Ｉｓおよびダンパー補償電流算出部２３にて算出されたダンパー補償電流Ｉｄに基づいて仮目標電流Ｉｔｆを決定する。仮目標電流決定部２５は、例えば、ベース電流Ｉｂに、イナーシャ補償電流Ｉｓを加算するとともにダンパー補償電流Ｉｄを減算して得た電流を仮目標電流Ｉｔｆとして決定する。
シミー補償電流設定部２７については後で詳述する。
【００２８】
最終目標電流決定部２８は、仮目標電流決定部２５にて決定された仮目標電流Ｉｔｆおよびシミー補償電流設定部２７にて設定されたシミー補償電流Ｉｒに基づいて最終的に目標電流Ｉｔを決定する。本実施の形態に係る最終目標電流決定部２８は、仮目標電流決定部２５にて決定された仮目標電流Ｉｔｆにシミー補償電流設定部２７にて設定されたシミー補償電流Ｉｒを加算して得た電流を目標電流Ｉｔとして決定する。
【００２９】
次に、制御部３０について詳述する。
図５は、制御部３０の概略構成図である。
制御部３０は、図５に示すように、電動モータ１１０の作動を制御するモータ駆動制御部３１と、電動モータ１１０を駆動させるモータ駆動部３２と、電動モータ１１０に実際に流れる実電流Ｉｍを検出するモータ電流検出部３３とを有している。
モータ駆動制御部３１は、目標電流算出部２０にて最終的に決定された目標電流Ｉｔと、モータ電流検出部３３にて検出された電動モータ１１０へ供給される実電流Ｉｍとの偏差に基づいてフィードバック制御を行うフィードバック（Ｆ／Ｂ）制御部４０と、電動モータ１１０をＰＷＭ駆動するためのＰＷＭ（パルス幅変調）信号を生成するＰＷＭ信号生成部６０とを有している。
【００３０】
フィードバック制御部４０は、目標電流算出部２０にて最終的に決定された目標電流Ｉｔとモータ電流検出部３３にて検出された実電流Ｉｍとの偏差を求める偏差演算部４１と、その偏差がゼロとなるようにフィードバック処理を行うフィードバック（Ｆ／Ｂ）処理部４２とを有している。
【００３１】
フィードバック（Ｆ／Ｂ）処理部４２は、目標電流Ｉｔと実電流Ｉｍとが一致するようにフィードバック制御を行うものであり、例えば、偏差演算部４１にて算出された偏差に対して、比例要素で比例処理し、積分要素で積分処理し、加算演算部でこれらの値を加算する。
ＰＷＭ信号生成部６０は、フィードバック制御部４０からの出力値に基づいて電動モータ１１０をＰＷＭ（パルス幅変調）駆動するためのＰＷＭ信号を生成し、生成したＰＷＭ信号を出力する。
【００３２】
モータ駆動部３２は、所謂インバータであり、例えば、スイッチング素子として６個の独立したトランジスタ（ＦＥＴ）を備え、６個の内の３個のトランジスタは電源の正極側ラインと各相の電気コイルとの間に接続され、他の３個のトランジスタは各相の電気コイルと電源の負極側（アース）ラインと接続されている。そして、６個の中から選択した２個のトランジスタのゲートを駆動してこれらのトランジスタをスイッチング動作させることにより、電動モータ１１０の駆動を制御する。
モータ電流検出部３３は、モータ駆動部３２に接続されたシャント抵抗の両端に生じる電圧から電動モータ１１０に流れる実電流Ｉｍの値を検出する。
【００３３】
次に、シミー補償電流設定部２７について詳述する。
シミー現象が発生した場合には、前輪１５０から、ラック軸１０５、ピニオンシャフト１０６、ステアリングシャフト１０２などを介してステアリングホイール１０１に振動が伝わる。
シミー補償電流設定部２７は、シミー現象に起因してステアリングホイール１０１に伝わる振動を電動モータ１１０にて打ち消すための電流であるシミー補償電流Ｉｒを設定する。つまり、シミー補償電流Ｉｒは、シミー現象に起因して、前輪１５０、ラック軸１０５などを介してピニオンシャフト１０６に伝達される回転トルクとは逆方向の回転トルクを加えるように電動モータ１１０を駆動させるための電流である。
【００３４】
図６は、シミー補償電流設定部２７の概略構成図である。
シミー補償電流設定部２７は、トルクセンサ１０９による検出トルクＴのうち所定範囲の周波数帯域の成分を抽出するシミー周期抽出処理部２７１と、シミー周期抽出処理部２７１にて抽出された検出トルクＴと逆位相となるトルク変化量を算出するトルク変化量算出部２７２と、を備えている。
また、シミー補償電流設定部２７は、トルク変化量算出部２７２が算出したトルク変化量に基づいて算出シミー補償電流Ｉｒｃを算出するシミー補償電流算出部２７５と、シミー補償電流算出部２７５にて算出された算出シミー補償電流Ｉｒｃに対してリミット処理を施すリミット処理部２７６と、を備えている。
また、シミー補償電流設定部２７は、シミー補償電流算出部２７５にて算出された算出シミー補償電流Ｉｒｃの中点を検出する中点検出部２７７と、中点検出部２７７が検出した中点を考慮して最終的にシミー補償電流Ｉｒを決定するシミー補償電流決定部２７８と、を備えている。
【００３５】
シミー周期抽出処理部２７１は、トルクセンサ１０９からのトルク信号Ｔｄのうちで、中心周波数Ｆｒｃを中心とする所定範囲の周波数帯域の信号のみを通し、他の周波数の信号は通さない（減衰させる）バンドパスフィルタ２７１ａと、車速Ｖｃに応じてこのバンドパスフィルタ２７１ａの中心周波数Ｆｒｃを設定する中心周波数設定部２７１ｂと、を有している。
【００３６】
図７は、バンドパスフィルタ２７１ａを示す概略図である。図７において、横軸は周波数であり、縦軸はゲインである。
バンドパスフィルタ２７１ａは、中心周波数Ｆｒｃを中心とする所定範囲（例えば３Ｈｚ）の周波数帯域の信号のみを通し、他の周波数の信号は通さない（減衰させる）機能をもつフィルタである。バンドパスフィルタ２７１ａは、例えばアナログ回路やＣＰＵが実行するプログラム（ソフトウェア）で構成可能である。そして、中心周波数Ｆｒｃが、中心周波数設定部２７１ｂにより設定される。
【００３７】
図８は、車速Ｖｃとバンドパスフィルタ２７１ａの中心周波数Ｆｒｃとの対応を示す制御マップの概略図である。
中心周波数設定部２７１ｂは、車速信号ｖに基づいてバンドパスフィルタ２７１ａの中心周波数Ｆｒｃを決定する。つまり、中心周波数設定部２７１ｂは、車速Ｖｃに応じた中心周波数Ｆｒｃを算出する。なお、中心周波数設定部２７１ｂは、例えば、予め経験則に基づいて作成しＲＯＭに記憶しておいた、車速Ｖｃ（車速信号ｖ）と中心周波数Ｆｒｃとの対応を示す図８に例示した制御マップに、車速Ｖｃ（車速信号ｖ）を代入することにより中心周波数Ｆｒｃを算出する。
【００３８】
シミー現象により発生する振動の１周期は、前輪１５０の１回転と考えられることから、その振動の周波数は、前輪１５０の回転速度に依存し、前輪１５０の回転速度に比例して高くなる。そして、前輪１５０の直径は、車種に応じて異なる。また、前輪１５０の直径は、同じ車種でも仕様に応じて異なる。一方、シミー現象が生じる前輪１５０の回転速度は、車種や仕様により異なるものの、一般的には所定範囲の回転速度にて生じると考えられる。それゆえ、前輪１５０の直径が大きい車両では振動の周波数は小さい。他方、前輪１５０の直径が小さい車両では振動の周波数は大きい。一般的に、シミー現象により発生する振動の周波数は、１０〜２０Ｈｚの間であると考えられている。
【００３９】
これらの事項に鑑み、図８に示した車速Ｖｃとバンドパスフィルタ２７１ａの中心周波数Ｆｒｃとの対応を示す制御マップにおいては、シミー現象が生じると考えられる車速域では、車速Ｖｃと中心周波数Ｆｒｃとが比例するように設定されている。そして、シミー現象が生じると考えられる車速域よりも小さい車速域における中心周波数Ｆｒｃは、シミー現象が生じると考えられる車速域内の最小の車速のときの中心周波数Ｆｒｃに設定される。また、シミー現象が生じると考えられる車速域よりも大きな車速域における中心周波数Ｆｒｃは、シミー現象が生じると考えられる車速域内の最大の車速のときの中心周波数Ｆｒｃに設定されている。
【００４０】
中心周波数設定部２７１ｂは、例えば、本実施の形態に係るステアリング装置１００が車両に組み付けられた後に、シミー現象に起因する振動が発生する車速Ｖｃを把握し、把握した車速Ｖｃを図８に例示した制御マップに代入することにより中心周波数Ｆｒｃを算出する。そして、中心周波数設定部２７１ｂは、算出した中心周波数Ｆｒｃをバンドパスフィルタ２７１ａの中心周波数Ｆｒｃとして設定する。
なお、中心周波数設定部２７１ｂは、車両の識別情報を取得するとともに、取得した識別情報に対応するシミー現象に起因する振動が発生する車速ＶｃをＲＯＭから読み込むことにより取得することを例示することができる。また、中心周波数設定部２７１ｂは、ステアリング装置１００のセッティングを行う作業者が入力した値に基づいてシミー現象に起因する振動が発生する車速Ｖｃを把握することを例示することができる。
【００４１】
上述した構成により、シミー周期抽出処理部２７１は、トルクセンサ１０９からのトルク信号Ｔｄのうち、中心周波数設定部２７１ｂにて設定された中心周波数Ｆｒｃを中心とする所定範囲の周波数帯域の信号のみを通すことにより、シミー現象に起因する振動の周波数の信号を高精度に抽出する。
シミー周期抽出処理部２７１は、演算処理を行うことで、検出トルクＴのうち、シミー現象に起因する振動の周波数成分を抽出してもよい。例えば、シミー周期抽出処理部２７１は、一定時間（例えば４ミリ秒）ごとに、トルクセンサ１０９による検出トルクＴを読み込み、所定範囲の周波数帯域の成分を抽出すればよい。
【００４２】
トルク変化量算出部２７２は、シミー周期抽出処理部２７１にて抽出された検出トルクＴと逆位相となるトルク変化量を算出する。例えば、トルク変化量算出部２７２は、シミー周期抽出処理部２７１にて抽出された検出トルクＴを２階微分する算出処理を行い、検出トルクＴと逆位相となるトルク変化量として、シミー周期抽出処理部２７１にて抽出された特定周波数成分の逆位相成分を算出する。なお、逆位相成分は、シミー周期抽出処理部２７１にて抽出された検出トルクＴを微分および位相補償により算出してもよい。
【００４３】
図９は、トルク変化量算出部２７２が行う算出処理を示すフローチャートである。
トルク変化量算出部２７２は、図９に示す算出処理を一定時間（例えば４ミリ秒）ごとに繰り返し実行する。
図９を参照すると、トルク変化量算出部２７２は、シミー周期抽出処理部２７１にて抽出された検出トルクＴである抽出トルクを読み込む（ステップ１０１）。そして、トルク変化量算出部２７２は、今回のルーチンで読み込んだ抽出トルクと前回のルーチンで読み込んだ抽出トルクとに基づいて前回から今回までの抽出トルクの１階微分値（抽出トルクの変化速度）（以下、「今回の１階微分値」と称す。）を算出する（ステップ１０２）。その後、前回のルーチンで読み込んだ抽出トルクと前々回のルーチンで読み込んだ抽出トルクとに基づいて前々回から前回までの抽出トルクの１階微分値（抽出トルクの変化速度）（以下、「前回の１階微分値」と称す。）を算出する（ステップ１０３）。そして、その後、ステップ１０２にて算出した今回の１階微分値とステップ１０３にて算出した前回の１階微分値とに基づいて抽出トルクの２階微分値（抽出トルクの変化加速度）（抽出トルクと逆位相となるトルク変化量）を算出する（ステップ１０４）。
なお、今回のルーチンのステップ１０３の処理においては、前回のルーチンのステップ１０２にて算出した抽出トルクの１階微分値を用いてもよい。
【００４４】
シミー補償電流算出部２７５は、トルク変化量算出部２７２が算出したトルク変化量に基づいて算出シミー補償電流Ｉｒｃを算出する。
図１０は、トルク変化量と算出シミー補償電流Ｉｒｃとの対応を示す制御マップの概略図である。シミー補償電流算出部２７５は、一定時間（例えば４ミリ秒）ごとに、トルク変化量を読み込むと共に、例えば、予め経験則に基づいて作成しＲＯＭに記憶しておいた、トルク変化量と算出シミー補償電流Ｉｒｃとの対応を示す図１０に例示した制御マップに、読み込んだトルク変化量を代入することにより算出シミー補償電流Ｉｒｃを算出する。このように、シミー補償電流算出部２７５は、バンドパスフィルタ２７１ａを通過した検出トルクＴと逆位相となる変化量に基づいて前輪１５０側からステアリングホイール１０１側へ伝わる外乱トルクを抑制するための抑制電流を算出する抑制電流算出部の一例として機能する。
【００４５】
リミット処理部２７６は、後段に配置されたシミー補償電流決定部２７８に出力される値を制限する。
リミット処理部２７６は、シミー補償電流算出部２７５にて算出された算出シミー補償電流Ｉｒｃの絶対値が所定電流Ｉｌ以上である場合には、制限後シミー補償電流Ｉｒｌとして、算出シミー補償電流Ｉｒｃの絶対値が所定電流Ｉｌとなる値をシミー補償電流決定部２７８に出力する。
他方、リミット処理部２７６は、シミー補償電流算出部２７５にて算出された算出シミー補償電流Ｉｒｃの絶対値が所定電流Ｉｌ未満である場合には算出シミー補償電流Ｉｒｃを制限後シミー補償電流Ｉｒｌとしてシミー補償電流決定部２７８に出力する。
つまり、リミット処理部２７６は、シミー補償電流算出部２７５にて算出された算出シミー補償電流Ｉｒｃの値に応じて以下のように定めた制限後シミー補償電流Ｉｒｌをシミー補償電流決定部２７８に出力する。「Ｉｒｃ≧Ｉｌ」である場合には「Ｉｒｌ＝Ｉｌ」、「Ｉｒｃ≦−Ｉｌ」である場合には「Ｉｒｌ＝−Ｉｌ」、「−Ｉｌ＜Ｉｒｃ＜Ｉｌ」である場合には「Ｉｒｌ＝Ｉｒｃ」。
【００４６】
中点検出部２７７は、シミー補償電流算出部２７５にて算出された算出シミー補償電流Ｉｒｃの中点を検出する。
中点検出部２７７は、シミー補償電流算出部２７５にて算出された算出シミー補償電流Ｉｒｃの値を記憶領域に記憶すると共に、記憶領域に記憶した算出シミー補償電流Ｉｒｃの値の合計値を算出シミー補償電流Ｉｒｃの中点とする。なお、この場合の算出シミー補償電流Ｉｒｃが正常であれば、合計値は０となり、これが中点値となる。
中点検出部２７７は、例えば、記憶領域に記憶した算出シミー補償電流Ｉｒｃの値の内、最新の値を含めて過去ｎ個の値の合計値を算出シミー補償電流Ｉｒｃの中点とする。
【００４７】
なお、算出シミー補償電流Ｉｒｃの値の記憶領域としては、ＲＡＭ上のバッファメモリであることを例示することができる。また、バッファメモリとしては、ｎ個の値の記憶領域を有する環状バッファであることが好ましい。環状バッファである場合には、環状バッファがシミー補償電流算出部２７５にて算出された算出シミー補償電流Ｉｒｃの内の最新の値を含めて過去ｎ個の値を記憶することで、中点検出部２７７は、環状バッファに記憶された全ての（ｎ個の）算出シミー補償電流Ｉｒｃの値を合算することにより算出シミー補償電流Ｉｒｃの中点を検出することができる。それゆえ、算出シミー補償電流Ｉｒｃの記憶領域が環状バッファである場合には、環状バッファでない場合よりも、中点検出部２７７は、より迅速に算出シミー補償電流Ｉｒｃの中点を検出することができる。
【００４８】
シミー補償電流決定部２７８は、中点検出部２７７が検出した算出シミー補償電流Ｉｒｃの中点の絶対値が所定範囲内である場合には、リミット処理部２７６から出力された制限後シミー補償電流Ｉｒｌを最終的にシミー補償電流Ｉｒとして決定する。他方、シミー補償電流決定部２７８は、中点検出部２７７が検出した算出シミー補償電流Ｉｒｃの中点の絶対値が所定範囲外である場合には、最終的にシミー補償電流Ｉｒを零として決定する。そして、シミー補償電流決定部２７８は、最終的にシミー補償電流Ｉｒとして決定した値をＲＡＭなどの記憶領域に記憶する。
【００４９】
シミー補償電流設定部２７は、上述した手法にて決定したシミー補償電流ＩｒをＲＡＭなどの記憶領域に記憶する。
そして、最終目標電流決定部２８は、ＲＡＭなどの記憶領域に記憶された、仮目標電流Ｉｔｆとシミー補償電流Ｉｒとを加算した値を目標電流Ｉｔとして決定する。
【００５０】
以上のように構成されたステアリング装置１００においては、シミー現象に起因してステアリングホイール１０１に伝わる振動を電動モータ１１０にて打ち消すための電流であるシミー補償電流Ｉｒが目標電流Ｉｔに含まれるので、シミー現象に起因する振動が運転者に伝わることを抑制することができる。
【００５１】
また、以上のように構成された目標電流算出部２０においては、常に、仮目標電流Ｉｔｆにシミー補償電流Ｉｒを加算した電流が目標電流Ｉｔとして決定される。それゆえ、シミー現象に起因する大きな振動が発生していない場合にはシミー補償電流Ｉｒを零とすることが望ましい。本実施の形態に係るシミー補償電流設定部２７のバンドパスフィルタ２７１ａは、シミー現象に起因する振動が発生すると考えられる車速Ｖｃに応じた中心周波数Ｆｒｃを中心とする所定範囲の周波数帯域の信号のみを通し、他の周波数の信号は通さない。それゆえ、例えば、車速Ｖｃに応じて中心周波数Ｆｒｃを変更せずに、全ての車種や仕様をカバーする範囲の周波数帯域（例えば１０〜２０Ｈｚ）の信号を通すフィルタにてシミー現象に起因する振動の周波数の信号を抽出する場合と比較すると、本実施の形態に係るシミー補償電流設定部２７は、通常操舵の周波数であってシミー現象に起因する振動が発生していない周波数域まで、過剰に検出し不要なシミー補償電流Ｉｒが付与されることを抑制することができる。
その結果、シミー現象に起因する振動が発生しない場合の操舵フィーリングが悪化することを抑制することができる。
【００５２】
また、上述したシミー補償電流設定部２７においては、シミー補償電流算出部２７５が算出する算出シミー補償電流Ｉｒｃは、トルク変化量算出部２７２にて算出された抽出トルクと逆位相となるトルク変化量に基づく値である。また、図４および図１０に示すように、トルクセンサ１０９にて検出された検出トルクＴとトルク変化量とが逆位相（逆符号（一方がプラスである場合は他方がマイナス））である場合には、ベース電流Ｉｂとシミー補償電流Ｉｒとは逆符号（一方がプラスである場合は他方がマイナス）である。それゆえ、シミー補償電流設定部２７は、シミー現象に起因して運転者に伝わる振動を電動モータ１１０にて打ち消すための電流を、精度高く算出することができる。
【００５３】
また、上述したシミー補償電流設定部２７においては、中点検出部２７７がシミー補償電流算出部２７５にて算出された算出シミー補償電流Ｉｒｃの中点を検出し、シミー補償電流決定部２７８が、中点検出部２７７が検出した中点を考慮して最終的にシミー補償電流Ｉｒを決定する。
【００５４】
ここで、図１１（ａ）は、シミー補償電流算出部２７５にて算出された算出シミー補償電流Ｉｒｃに中点オフセットが生じている場合の出力態様を示す図である。図１１（ｂ）は、シミー補償電流算出部２７５にて算出された算出シミー補償電流Ｉｒｃに制御値の固着が生じている場合の出力態様を示す図である。
振動成分を持った制御出力であるシミー補償電流算出部２７５にて算出され、出力された制御値である算出シミー補償電流Ｉｒｃに中点オフセットが生じている場合には、図１１（ａ）に示すように、オフセットした中点を中心として振動する。また、シミー補償電流算出部２７５から出力された制御値である算出シミー補償電流Ｉｒｃに固着が生じている場合には、図１１（ｂ）に示すように、シミー補償電流算出部２７５から出力された制御値が一定値にオフセットする。従って、中点検出部２７７で検出した中点（正常時は、０）が所定オフセット範囲を外れた時、算出シミー補償電流Ｉｒｃに何らかの中点ずれ（異常）が生じていると判定する。
【００５５】
本実施の形態に係るシミー補償電流設定部２７においては、シミー補償電流算出部２７５からの制御値に中点オフセットや固着などの異常が生じている場合には、中点検出部２７７が算出シミー補償電流Ｉｒｃの中点ずれを検出する。
そして、シミー補償電流決定部２７８は、中点検出部２７７が算出シミー補償電流Ｉｒｃに中点ずれが生じていることを検出した場合には、シミー補償電流Ｉｒを零に決定する。
【００５６】
以上のように構成された本実施の形態に係るシミー補償電流設定部２７は、シミー補償電流算出部２７５からの制御値に異常が生じていることに起因して、所望とは異なるシミー補償電流Ｉｒが目標電流Ｉｔに含まれることを抑制することができる。その結果、本実施の形態に係るステアリング装置１００は、誤ったシミー補償電流Ｉｒに基づいて電動モータ１１０が駆動することに起因して操舵フィーリングが悪化することを抑制することができる。
【００５７】
なお、上述した実施形態においては、シミー補償電流決定部２７８の前段にリミット処理部２７６を配置しているが、特にかかる態様に限定されない。例えば、リミット処理部２７６は、シミー補償電流決定部２７８の後段であってもよい。
【００５８】
また、上述した実施形態においては、ステアリングホイール１０１に加えられた操舵トルクおよび前輪１５０を介してピニオンシャフト１０６に伝わる外乱トルクを検出するトルクセンサ１０９として、トーションバー１１２の捩れ量を基に検出するセンサを用いているが特に限定されない。例えば、磁歪に起因する磁気特性の変化に基づいてトルクを検出する磁歪式のセンサであってもよい。
【００５９】
また、上述した実施形態においては、シミー現象に起因する振動を抑制する制御を、ピニオン型の電動パワーステアリングに適用した場合について説明したが、特に限定されない。ダブルピニオン型やラックアシスト型など他の形式の電動パワーステアリング装置に適用してもよい。
【符号の説明】
【００６０】
１０…制御装置、２０…目標電流算出部、２１…ベース電流算出部、２５…仮目標電流決定部、２７…シミー補償電流設定部、２８…最終目標電流決定部、３０…制御部、１００…電動パワーステアリング装置、１０９…トルクセンサ、１１０…電動モータ、２７１…シミー周期抽出処理部、２７２…トルク変化量算出部、２７５…シミー補償電流算出部、２７６…リミット処理部、２７７…中点検出部、２７８…シミー補償電流決定部
【図１】
2016068677.tif 000003
【図２】
2016068677.tif 000004
【図３】
2016068677.tif 000005
【図４】
2016068677.tif 000006
【図５】
2016068677.tif 000007
【図６】
2016068677.tif 000008
【図７】
2016068677.tif 000009
【図８】
2016068677.tif 000010
【図９】
2016068677.tif 000011
【図１０】
2016068677.tif 000012
【図１１】
2016068677.tif 000013